(57)【要約】【課題】スプリンクラーヘッドから放出される消火液をより均一に散布できるようにする。【解決手段】消火液を放出する放出口を有する放出部２と、円板状に形成され放出口に対向するデフレクタ６と、デフレクタ６と放出部２とを連結する連結部７とを備え、デフレクタ６は、外周縁部に等間隔かつ径方向に形成された複数のスリット６０によって区画された複数のつば部を有し、連結部７は、放出部２からデフレクタ６の径方向外周側に突出するとともにデフレクタ６の中心部に向けて連結される一対のフレーム７０を備えたスプリンクラーヘッドにおいて、フレーム７０の突出方向外周側に位置するつば部が消火液の落下方向に７°〜３２°傾斜し、フレーム７０の突出方向に直交する方向の外周側に位置するつば部がフレーム７０の突出方向外周側に位置するつば部よりも消火液の落下方向への傾斜角度が浅く形成されるようにする。【選択図】図１
2012139267.tif 000002
【特許請求の範囲】
【請求項１】
消火液を放出する放出口を有する放出部と、前記放出口をシールするシール部と、前記放出口に向けて前記シール部を押圧する感熱部材と、円板状に形成され前記放出口に対向するデフレクタと、前記デフレクタと前記放出部とを連結する連結部とを備えたスプリンクラーヘッドであって、
前記デフレクタは、外周縁部に等間隔かつ径方向に形成された複数のスリットと、前記スリットによって区画された複数のつば部とを有し、
前記連結部は、前記放出部から前記デフレクタの径方向外周側に突出するとともに前記デフレクタの中心部に向けて連結される一対のフレームを備え、
前記フレームの突出方向外周側に位置するつば部は、消火液の落下方向に７°〜３２°傾斜し、
前記フレームの突出方向に直交する方向の外周側に位置するつば部は、前記フレームの突出方向外周側に位置するつば部よりも消火液の落下方向への傾斜角度が浅く形成される
スプリンクラーヘッド。
【請求項２】
前記フレームの突出方向外周側に位置するつば部は、消火液の落下方向への傾斜角度が７°であり、
前記フレームの突出方向に直交する方向の外周側に位置するつば部は、消火液の落下方向への傾斜角度が０°である
請求項１に記載のスプリンクラーヘッド。
【請求項３】
前記フレームの突出方向外周側に位置するつば部は、消火液の落下方向への傾斜角度が１８°であり、
前記フレームの突出方向に直交する方向の外周側に位置するつば部は、消火液の落下方向への傾斜角度が７°である
請求項１に記載のスプリンクラーヘッド。
【請求項４】
前記フレームの突出方向外周側に位置するつば部は、消火液の落下方向への傾斜角度が３２°であり、
前記フレームの突出方向に直交する方向の外周側に位置するつば部は、消火液の落下方向への傾斜角度が１８°である
請求項１に記載のスプリンクラーヘッド。
【発明の詳細な説明】
【技術分野】
【０００１】
本発明は、消火設備に使用され、消火液を放射するスプリンクラーヘッドに関するものである。
【背景技術】
【０００２】
消火液を放射するスプリンクラーヘッドとしては、例えば特許文献１に開示された構成のものが提案されている。かかるスプリンクラーヘッドは、放水口を有するヘッド本体と、放水口を塞ぐ弁体と、放水口と対向するデフレクタと、デフレクタとヘッド本体とを連結するフレームと、弁体を閉弁方向に押圧する感熱開弁部材とを備えており、感熱開弁部材が火災の熱を感知すると感熱開弁部材がはじけて弁体が落下し、放水口から放出された消火液がデフレクタに案内されて飛散する構成となっている。
【０００３】
また、上記スプリンクラーヘッドに備えたデフレクタは、デフレクタのうちフレームの背面に対応する部分のみを下方に曲げることにより、デフレクタとヘッド本体とを連結するフレームの背面に消火液が回りにくくなるという問題の解決を図っている。
【先行技術文献】
【特許文献】
【０００４】
【特許文献１】特開２００１−４６５４４号公報
【発明の概要】
【発明が解決しようとする課題】
【０００５】
しかし、上記特許文献１に記載されたスプリンクラーヘッドを用いても、消火液散布の均一性は十分とはいえず、更なる改善が求められている。
【０００６】
本発明は、このような点に鑑みなされたもので、その目的は、スプリンクラーヘッドから放出される消火液をより均一に散布できるようにすることである。
【課題を解決するための手段】
【０００７】
本発明は、消火液を放出する放出口を有する放出部と、放出口をシールするシール部と、放出口に向けてシール部を押圧する感熱部材と、円板状に形成され放出口に対向するデフレクタと、デフレクタと放出部とを連結する連結部とを備えたスプリンクラーヘッドに関するもので、デフレクタは、外周縁部に等間隔かつ径方向に形成された複数のスリットと、スリットによって区画された複数のつば部とを有し、連結部は、放出部からデフレクタの径方向外周側に突出するとともにデフレクタの中心部に向けて連結される一対のフレームを備え、フレームの突出方向外周側に位置するつば部は、消火液の落下方向に７°〜３２°傾斜し、フレームの突出方向に直交する方向の外周側に位置するつば部は、フレームの突出方向外周側に位置するつば部よりも消火液の落下方向への傾斜角度が浅く形成される。
【０００８】
上記スプリンクラーヘッドの具体例として、以下のものが挙げられる。
（１）フレームの突出方向外周側に位置するつば部は、消火液の落下方向への傾斜角度が７°であり、フレームの突出方向に直交する方向の外周側に位置するつば部は、消火液の落下方向への傾斜角度が０°であるスプリンクラーヘッド。
（２）フレームの突出方向外周側に位置するつば部は、消火液の落下方向への傾斜角度が１８°であり、フレームの突出方向に直交する方向の外周側に位置するつば部は、消火液の落下方向への傾斜角度が７°であるスプリンクラーヘッド。
（３）フレームの突出方向外周側に位置するつば部は、消火液の落下方向への傾斜角度が３２°であり、フレームの突出方向に直交する方向の外周側に位置するつば部は、消火液の落下方向への傾斜角度が１８°であるスプリンクラーヘッド。
【発明の効果】
【０００９】
本発明に係るスプリンクラーヘッドは、フレームの突出方向外周側に位置するつば部が、消火液の落下方向に７°〜３２°傾斜し、フレームの突出方向に直交する方向の外周側に位置するつば部が、フレームの突出方向外周側に位置するつば部よりも消火液の落下方向への傾斜角度が浅く形成されるようにしたことで、消火区域内における消火液供給の均一性を改善することができる。
【図面の簡単な説明】
【００１０】
【図１】スプリンクラーヘッドを示す斜視図である。
【図２】スプリンクラーヘッドの内部構造を示す断面図である。
【図３】スプリンクラーヘッドの側面図である。
【図４】スプリンクラーヘッドに備えたデフレクタを示す平面図である。
【図５】図４のＡ−Ａ線切断部端面図である。
【図６】図４のＢ−Ｂ線切断部端面図である。
【図７】採水マスの配置を示す平面図である。
【図８】実施例の実験結果を示す表である。
【図９】実施例の実験結果を採水量合計が１００００になるように換算した結果を示す表である。
【発明を実施するための形態】
【００１１】
図１に示すスプリンクラーヘッド１は、消火液を放出する放出部２を有している。放出部２は、天井等に埋設された配管に螺着するためのねじ部２０を備えている。ねじ部２０は、筒状に形成され、上方に向けて開口した開口部２１を備えており、開口部２１から消火液を進入させることができる。
【００１２】
図２に示すように、放出部２の内部には、鉛直方向に貫通するノズル状の放出口２２が形成されている。放出口２２の下端はシール部３０及びキャップ３１によって塞がれており、通常時に放出口２２から下方に消火液が放出されるのを防止している。
【００１３】
図１及び図２に示すように、シール部３０及びキャップ３１の下方には、放出口２２に向けてシール部３０及びキャップ３１を押圧する感熱部材４が配設されている。感熱部材４はグラスバルブであり、その下方のインプレスネジ５によって下方から支持されている。
【００１４】
感熱部材４及びインプレスネジ５の鉛直方向下方には、円板状に形成されたデフレクタ６が形成されている。デフレクタ６の面方向は、放出口２２に対向している。
【００１５】
図１乃至３に示すように、放出部２とデフレクタ６とは、連結部７によって連結されている。連結部７は、放出部２の側部からデフレクタ６の径方向外周側に向けて突出するとともに、デフレクタ６の中心部に向けて連結される一対のフレーム７０を備えている。
【００１６】
図４に示すように、デフレクタ６には、その円弧の外周縁部に等間隔かつ径方向に形成された複数のスリット６０を有している。そして、隣り合う２つのスリット６０の間には、スリット６０によって区画された爪状のつば部６１Ａ〜６１Ｌが形成されている。図示の例では、１２個のスリット６０が形成され、これにともない１２個のつば部６１Ａ〜６１Ｌが形成されている。
【００１７】
図５に示すように、フレーム７０の突出方向（以下「フレーム方向」という。）の外周側に位置するつば部６１Ｂ及び６１Ｃは、消火液の落下方向に傾斜角θ１だけ傾斜している。図示はしていないが、つば部６１Ｄ，６１Ｅ，６１Ｈ，６１Ｉ，６１Ｊ及び６１Ｋについても同様である。
【００１８】
一方、図６に示すように、フレーム方向に対して水平方向に直交する方向の外周側に位置するつば部６１Ａ及び６１Ｇ及びは、フレーム方向の外周側に位置するつば部６１Ｂ，６１Ｃ，６１Ｄ，６１Ｅ，６１Ｈ，６１Ｉ，６１Ｊ及び６１Ｋよりも、消火液の落下方向への傾斜角θ２がθ１より浅く形成されている。図示はしていないが、つば部６１Ｆ及び６１Ｌについても同様である。なお、θ２＝０、すなわち、つば部６１Ａ，６１Ｆ，６１Ｇ及び６１Ｌが傾斜せず、水平に形成されていてもよい。
【００１９】
以上のように、フレームの突出方向外周側に位置するつば部は、消火液の落下方向に傾斜し、フレームの突出方向に直交する方向の外周側に位置するつば部は、フレームの突出方向外周側に位置するつば部よりも浅い角度で消火液の落下方向へ傾斜しているため、各つば部が消火液をガイドすることにより、消火区域内における消火液供給の均一性を改善することができる。
【００２０】
なお、本発明は、上記の実施形態に限定されるものではなく、種々の変形形態を採用することができる。例えば、デフレクタ以外の部材については、図示の例に限定されるものではない。例えば、感熱部材４は、低融点合金であっても良い。
【実施例】
【００２１】
図５及び図６に示した傾斜角θ１、θ２の値の組み合わせが以下の４種類のスプリンクラーヘッドを用意した。
【００２２】
（スプリンクラーヘッドＡ）  θ１＝０°，θ２＝０°    （比較対象例）
（スプリンクラーヘッドＢ）  θ１＝７°，θ２＝０°    （実施例）
（スプリンクラーヘッドＣ）  θ１＝１８°，θ２＝７°  （実施例）
（スプリンクラーヘッドＤ）  θ１＝３２°，θ２＝１８°（実施例）
【００２３】
全スプリンクラーヘッドＡ〜Ｄに共通の条件は以下のとおりである。
スリットの数：1２個（等間隔）
スリットの周方向の幅：１．２［ｍｍ］
スプリンクラーヘッドの高さ：５４［ｍｍ］
連結部の直径：２５［ｍｍ］
デフレクタの厚み：（１．５±０．１）［ｍｍ］、
つば部を除いたデフレクタの平坦部分の直径：２０［ｍｍ］
【００２４】
放水区域内に、図７に示す複数の採水マス８を配置し、各スプリンクラーヘッドから放水し、各採水マス８における水の採水量を計測する実験を行った。図７に示す採水マス８は、フレーム方向及びフレーム方向に対して水平方向に直交する方向に直線状に配置されている。この採水マス８は、一辺が１０００１／２ｃｍの大きさに形成されており、各採水マスの内部に記載された番号１〜３３は採水マス番号である。スプリンクラーヘッドＡ〜Ｄは、採水マス９の直上に配置した。
【００２５】
採水マス８が図７のような位置関係で設置された放水区域内において、上記スプリンクラーヘッドＡ〜Ｄを用いて放水を行った。放水時の水の圧力は、０．１［ＭＰａ］と０．７［ＭＰａ］の２通りとした。実験結果は図８及び図９に示すとおりである。
【００２６】
図８に示す実験結果の採水量の単位は、[ｍｌ／３ｍｉｎ]であり、これを全採水マスの採水量合計が１００００になるように換算したのが図９である。場所による採水量のバラツキは、標準偏差を求めることによる把握した。
【００２７】
図９を参照して説明すると、まず、放水圧力が０．１［ＭＰａ］のときは、（θ１＝０、θ２＝０）である本発明の対象外の比較対象のデフレクタを使用した場合は、標準偏差３７６であるのに対し、（θ１＝７°、θ２＝０°）、（θ１＝１８°、θ２＝７°）、（θ１＝３２°、θ２＝１８°）のデフレクタでは、標準偏差がそれより小さい１８９、２０６、１６８となっており、より均一に放水できたことが確認された。
【００２８】
また、放水圧力が０．７［ＭＰａ］のときは、（θ１＝０、θ２＝０）である本発明の対象外の比較対象のデフレクタを使用した場合は、標準偏差３２５であるのに対し、（θ１＝７°、θ２＝０°）、（θ１＝１８°、θ２＝７°）、（θ１＝３２°、θ２＝１８°）のデフレクタでは標準偏差がそれより小さい２５３、２７６、２７２となっており、より均一に放水できたことが確認された。
【符号の説明】
【００２９】
１：スプリンクラーヘッド
２：放出部  ２０：ねじ部  ２１：開口部  ２２：放出口
３０：シール部  ３１：キャップ
４：感熱部材  ５：インプレスねじ
６：デフレクタ  ６０：スリット
６１Ａ〜６１Ｌ：つば部
７：連結部  ７０：フレーム
８：採水マス
【図１】
2012139267.tif 000003
【図２】
2012139267.tif 000004
【図３】
2012139267.tif 000005
【図４】
2012139267.tif 000006
【図５】
2012139267.tif 000007
【図６】
2012139267.tif 000008
【図７】
2012139267.tif 000009
【図８】
2012139267.tif 000010
【図９】
2012139267.tif 000011